(57)【要約】      （修正有）【課題】伸縮自在なベルトを提供する。【解決手段】ベルトは、長尺状のベルト本体２を有し、ベルト本体２は、芯材１１と、芯材１１の表面に塗布される接着剤１２と、接着剤１２により芯材１１の全ての表面に接合される被覆材１３とからなり、被覆材１３の接合後の端部は、コバ塗りされている。被覆材１３は、芯材１１の幅方向の長さの２倍の長さと厚さ方向の長さの２倍の長さに余剰の長さを加えた長さを幅方向の長さとし、余剰部分は、被覆材１３を芯材１１に接合した後、切断される。【選択図】図２
0003219230.tif 000002
【実用新案登録請求の範囲】
【請求項１】
長尺状のベルト本体を有し、
前記ベルト本体は、
芯材と、
前記芯材の表面に塗布される接着剤と、
前記接着剤により前記芯材の全ての表面に接合される被覆材と、からなり、
前記被覆材の接合後の端部は、コバ塗りされている
ベルト。
【請求項２】
前記被覆材は、前記芯材の幅方向の長さの２倍の長さと厚さ方向の長さの２倍の長さに余剰の長さを加えた長さを幅方向の長さとし、
前記余剰部分は、前記被覆材を前記芯材に接合した後、切断される
請求項１に記載のベルト。
【請求項３】
前記芯材には、アクリル、ゴム、及びポリエステルが、およそ４：３：３の比率で含有されており、前記被覆材は、ポリウレタンとコットンを主成分としており、加えてポリエステル、レイヨンが含有されている
請求項１又は請求項２に記載のベルト。
【考案の詳細な説明】
【技術分野】
【０００１】
この考案は、伸縮自在なベルトに関する。
【背景技術】
【０００２】
従来、フォーマル用、カジュアル用、及びスポーツ用等、各種用途に適合するようにデザイン、機能性に富んだ種々のベルトが開発されている。これらベルトの中には、利用される状況に合わせた構成上の工夫を施したものもある。例えば、スポーツ時に着用するベルトや仕事中に着用するベルトについては、姿勢の変化等に対応して着用者の快適性を高めるべく、伸縮性を有することが好ましいとされているが、そのような伸縮性を有するベルトについても、種々の開発がなされている。
【０００３】
例えば、特許文献１では、装着時に外側に露出する表材と装着時に身体側に位置する裏材とに挟持される伸縮性の芯材を有し、表材と裏材とが牛皮の繊維質方向に対して垂直に切り出された天然皮革からなり、表材と芯材とを接着剤で貼り付け、かつ裏材と芯材とを接着剤で貼り付ける服装用伸縮ベルトが開示されている。
【先行技術文献】
【特許文献】
【０００４】
【特許文献１】実用新案登録第３１８８０４８号公報
【考案の概要】
【考案が解決しようとする課題】
【０００５】
しかしながら、特許文献１に開示されたものは、表材と裏材を芯材に接着剤で上下方向から貼り合わせる構成であることから、剥離を防止するためには、表材と裏材の周縁部を縫い合わせる必要があった。従って、伸縮性に富む材質を各材に採用したとしても、糸による縫い合わせにより、伸縮性が阻害されていた。
【０００６】
本考案は、このような課題に鑑みてなされたものであり、その目的とするところは、伸縮自在なベルトを提供することにある。
【課題を解決するための手段】
【０００７】
上記課題を解決するために、本考案の一態様であるベルトは、長尺状のベルト本体を有し、前記ベルト本体は、芯材と、前記芯材の表面に塗布される接着剤と、前記接着剤により前記芯材の全ての表面に接合される被覆材とからなり、前記被覆材の接合後の端部はコバ塗りされている。
【０００８】
この態様において、前記被覆材は、前記芯材の幅方向の長さの２倍の長さと厚さ方向の長さの２倍の長さに余剰の長さを加えた長さを幅方向の長さとし、前記余剰部分は、前記被覆材を前記芯材に接合した後、切断される。
【０００９】
さらに、この態様において、前記芯材には、アクリル、ゴム、及びポリエステルが、およそ４：３：３の比率で含有されており、前記被覆材は、ポリウレタンとコットンを主成分としており、加えてポリエステル、レイヨンが含有されている。
【考案の効果】
【００１０】
本考案によれば、伸縮自在なベルトを提供することができる。
【図面の簡単な説明】
【００１１】
【図１】本考案の一実施形態に係るベルトの構成図である。
【図２】同ベルトの一部断面図である。
【図３】同ベルトの製造工程を説明する概念図である。
【図４】同ベルトの製造工程を説明するフローチャートである。
【考案を実施するための形態】
【００１２】
以下、図面を参照しつつ本考案の実施形態について説明する。
【００１３】
図１には、本考案の一実施形態に係るベルトの構成を示し説明する。
【００１４】
同図に示されるように、ベルト１は、バックル３を備えており、当該バックル３は、連結具５の一端に接続されている。連結具４の他端には、長尺のベルト本体２が接続されている。このベルト本体２の連結具４への接続端と反対側の端から所定長の領域には、複数の小穴６が設けられている。この小穴６は、バックル３の軸部材を挿通させることで、ベルトの締結位置を固定するものである。この例では、５つの小穴６が設けられている。以上のほか、連結具４には、ベルト本体通し部５が設けられている。このベルト本体通し部５は、ベルト本体２を挿通するものである。
【００１５】
本実施形態に係るベルト１のベルト本体２は、伸縮性を有する芯材の表裏全面にわたり接着剤を塗布して、伸縮性を有する被覆材で当該芯材を完全に包み込むように被覆することで、構成されている。芯材も被覆材も伸縮性を有することから、ベルト本体２は全体として伸縮性を有することになる。
【００１６】
ここで、図２には、本考案の一実施形態に係るベルトの一部断面図を示し説明する。
【００１７】
同図に示されるように、ベルト本体２は、アクリル、ゴム、及びポリエステルを主成分とする伸縮性を有する芯材１１を備えている。この例では、アクリル、ゴム、及びポリエステルの含有割合は、およそ４：３：３である。芯材１１の全表面には、接着剤１２が塗布されており、芯材１１の全表面を完全に包み込むように、被覆材１３が接着剤１２により当該心材１１の表面に貼り合わせられる。被覆材１３は、ポリウレタンとコットンを主成分としており、それにポリエステル、レイヨンが含有されている。芯材１１への被覆材１３の接合に際しては、被覆材１３が芯材１１の周囲長よりも余剰の長さを有しているので、芯材１１に被覆材１３を接合すると、一端において、余剰部分が生まれる。したがって、芯材１１に被覆材１３を接合した後、その一端において、余剰部分を切断し、コバ塗りを行えば、図２に示されるようなベルト本体２となる。
【００１８】
このように、本実施形態に係るベルト１のベルト本体２は、芯材１１を被覆材１３が周回するように覆うので、従来技術に係るベルトのように、芯材に表材と裏材とを貼り合わせる場合のように、剥離を防止するために表材と裏材の周縁部を糸で縫い合わせたステッチを採用する必要がなく、よって、芯材と被覆材それぞれの伸縮性が、縫合糸により阻害されることなく、着用者にとって好適な伸縮性が精度高く実現されることになる。
【００１９】
以下、図３のフローチャートを参照して、本考案の一実施形態に係るベルトの製造工程を詳細に説明する。これは、本実施形態に係るベルトの製造方法にも相当する。なお、ここでは、図４の断面図を適宜参照する。
【００２０】
先ず、芯材１１の表裏面及び側面の全面に接着剤１２を塗布する（Ｓ１）。続いて、芯材１１の全表面を完全に包み込むように、被覆材１３を接着剤１２の塗布面に貼り合わせる（Ｓ２）。そして、この例では、ベルト本体２の側面に生まれる余剰部分１３ａ，１３ｂを切断し（Ｓ３）、切断端にコバ塗りを行い（Ｓ４）、完成となる。
【００２１】
この例では、芯材１１には、アクリル、ゴム、及びポリエステルが、およそ４：３：３の比率で含有されている。また、被覆材１３は、ポリウレタンとコットンを主成分としており、それにポリエステル、レイヨンが含有されている。被覆材１３は、芯材１１の長手方向と直行する方向、即ち幅方向の長さの２倍と、厚さ方向の長さの２倍と、余剰の長さを幅方向の長さとしているので、接合時には、前述したような余剰部分が接合端において生じることになる。この接合端は、１箇所であるので、その１箇所において、余剰部分の切断、及びコバ塗りを行えばよいことになる。
【００２２】
以上説明したように、本考案の実施形態によれば以下の考案が含まれる。
【００２３】
すなわち、長尺状のベルト本体２を有し、ベルト本体２は、芯材１１と、芯材１１の表面に塗布される接着剤１２と、接着剤１２により芯材１１の全ての表面に接合される被覆材１３とからなり、被覆材１３の接合後の端部は、コバ塗りされているベルトが提供される。従って、デザイン性に富み、仕事中やスポーツ中の着用者の姿勢変化に対応する好適な伸縮性が実現される。
【００２４】
ここで、被覆材１３は、芯材１１の幅方向の長さの２倍の長さと厚さ方向の長さの２倍の長さに余剰の長さを加えた長さを幅方向の長さとし、余剰部分１３ａ，１３ｂは、被覆材１３を芯材１１に接合した後に切断される。従って、簡易な製造工程で、着用者に好適な伸縮性を有するベルトが実現される。
【００２５】
さらに、芯材には、アクリル、ゴム、及びポリエステルが、およそ４：３：３の比率で含有されており、被覆材は、ポリウレタンとコットンを主成分としており、加えてポリエステル、レイヨンが含有されている。従って、このような組成の芯材及び被覆材により着用者に好適な伸縮性が実現される。
【００２６】
さらに、本考案の実施形態によれば、芯材１１の表裏面及び側面の全面に接着剤１２を塗布するステップと、芯材１１の全表面を完全に包み込むように、被覆材１３を接着剤１２の塗布面に貼り合わせるステップと、ベルト本体２の側面に生まれる余剰部分１３ａ，１３ｂを切断するステップと、切断端にコバ塗りを行うステップと、を有するベルトの製造方法が提供される。従って、デザイン性に富み、仕事中やスポーツ中の着用者の姿勢変化に対応する好適な伸縮性を備えたベルトが製造される。
【００２７】
以上、本考案の一実施形態について説明したが、本考案はこれに限定されることなくその趣旨を逸脱しない範囲で種々の改良・変更が可能である。
【００２８】
例えば、被覆材の余剰部分を切断することにより生まれるコバ塗り端は、ベルト本体の側面のいずれかに限定されず、裏面側に形成されるように、芯材を被覆材で周回するように被覆してもよいことは勿論である。
【符号の説明】
【００２９】
１  ベルト
２  ベルト本体
３  バックル
４  連結具
５  ベルト本体通し部
６  小穴
１１  芯材
１２  接着剤
１３  被覆材
１３ａ  余剰部分
１３ｂ  余剰部分
【図１】
0003219230.tif 000003
【図２】
0003219230.tif 000004
【図３】
0003219230.tif 000005
【図４】
0003219230.tif 000006